(57)【特許請求の範囲】
【請求項１】
電動機の回転軸に固定されたファンと、該ファンを被うファンカバーと、前記ファンとファンカバーとの間に配設されるシール材とを備え、前記シール材を、電動機運転時のファン及びファンカバーの温度より高い温度で完全に硬化する熱硬化性樹脂にて形成したことを特徴とする電動送風機。
【請求項２】
電動機の回転軸に固定されたファンと、該ファンを被い、中央部に吸気口を有するファンカバーと、該ファンカバーに外部に向かって突出形成された環状部と、該環状部に設けられたシール材とを備え、前記シール材を、電動機運転時のファン及びファンカバーの温度より高い温度で完全に硬化する熱硬化性樹脂にて形成したことを特徴とする電動送風機。
【請求項３】
前記シール材は、完全に硬化する温度より低い温度でゲル状化したことを特徴とする請求項１または請求項２記載の電動送風機。
【請求項４】
前記シール材を、電動機運転時にファン及びファンカバーが達する温度より低い温度でゲル状化したことを特徴とする請求項３記載の電動送風機。
【請求項５】
前記シール材は、液体状の熱硬化性樹脂を環状部に充填し、完全に硬化する温度より低い温度でゲル状化して形成したことを特徴とする請求項２記載の電動送風機。
【請求項６】
前記環状部内面を粗面に形成したことを特徴とする請求項５記載の電動送風機。
【請求項７】
前記シール材を、電動機運転時のファン及びファンカバーの温度より低い温度でゲル状化したことを特徴とする請求項５記載の電動送風機。
【請求項８】
電動機の回転軸に固定されたファンと、該ファンを被い、中央部に吸気口を有するファンカバーと、該ファンとファンカバーとの間に配設されるシール材とを備え、
前記シール材を、
電動機運転時のファン及びファンカバーの温度より高い硬化温度を有する熱硬化性樹脂を、完全に硬化する温度より低い温度にてゲル状化する第１の工程、
第１の工程で形成された材料を、ファンカバー内面に固定する第２の工程、
により形成したことを特徴とする電動機送風機の製造方法。
【請求項９】
電動機の回転軸に固定されたファンと、該ファンを被い、中央部に吸気口を有するファンカバーと、該ファンカバーに外部に向かって突出形成された環状部と、該環状部に設けられたシール材とを備え、
前記シール材を、
電動機運転時のファン及びファンカバーの温度より高い硬化温度を有する熱硬化性樹脂を、環状部内に充填する第１の工程、
前記熱硬化性樹脂を、硬化温度より低い温度にてゲル状化する第２の工程、
により形成したことを特徴とする電動送風機の製造方法。
【請求項１０】
電動機の回転軸に固定されたファンと、該ファンを被い、中央部に吸気口を有するファンカバーと、該ファンカバーに外部に向かって突出形成された環状部と、該環状部に設けられたシール材とを備え、
前記シール材を、
電動機運転時のファン及びファンカバーの温度より高い硬化温度を有する熱硬化性樹脂を、ファンカバーの環状部内に充填する第１の工程、
前記熱硬化性樹脂を、電動機運転時のファン及びファンカバーの温度より低い温度にてゲル状化する第２の工程、
前記ファンカバーを電動機に固定する固定する第３の工程、
前記電動機を運転し、ファン及びファンカバーの熱により熱硬化性樹脂を第２の工程の状態より硬化させる第４の工程、
により形成したことを特徴とする電動送風機の製造方法。
【発明の詳細な説明】
【０００１】
【発明の属する技術分野】
本発明は、電気掃除機に使用される電動送風機の改良に関する。
【０００２】
【従来の技術】
従来、電動送風機は、ファンとファンカバーとの間に隙間が形成されるため、ファンの吐出口から吐出された気流の一部がファンとファンカバーとの間の隙間を通って吸気口へと流れ、ファン内部と隙間とを流れる循環流が生じるため、送風効率が低下する欠点があった。
【０００３】
そこで、この循環流を防止するために、ファンカバーの吸込口の周囲に環状のシール材を配設し、シール材にファンを当接させる技術が特開平7-208390号公報(F04D 29/16)等にて提案された。この従来技術は、シール材をファンカバーに固定するために、環状の支持体をファンカバーに溶接固定し、支持体とファンカバーとの間でシール材を挟持固定する構成となっている。
【０００４】
しかしながら、この構成では、シール材を環状に材料取りするため、歩留まりが悪く、しかもシール材として高価なポリテトラフロロエチレンを採用しているため、シール材が高価になる欠点がある。また、支持体を溶接する作業が必要となり、組立作業性が悪いと共に、加工費が高価となるなどの欠点を有するものであった。
【０００５】
【発明が解決しようとする課題】
本発明は、上記欠点に鑑みなされたもので、ファンとファンカバーとの隙間を流れる循環流を安価に防止し得る電動送風機を提供することを課題とする。
【０００６】
【課題を解決するための手段】
本発明の第１の手段は、電動機の回転軸に固定されたファンと、該ファンを被うファンカバーと、前記ファンとファンカバーとの間に配設されるシール材とを備え、前記シール材を、電動機運転時のファン及びファンカバーの温度より高い温度で完全に硬化する熱硬化性樹脂にて形成したことを特徴とする。
【０００７】
本発明の第２の手段は、電動機の回転軸に固定されたファンと、該ファンを被い、中央部に吸気口を有するファンカバーと、該ファンカバーに外部に向かって突出形成された環状部と、該環状部に設けられたシール材とを備え、前記シール材を、電動機運転時のファン及びファンカバーの温度より高い温度で完全に硬化する熱硬化性樹脂にて形成したことを特徴とする。
【０００８】
第１の手段または第２の手段において、前記シール材は、完全に硬化する温度より低い温度でゲル状化したことを特徴とする。
【０００９】
また、前記シール材を、電動機運転時にファン及びファンカバーが達する温度より低い温度でゲル状化したことを特徴とする。
【００１０】
第２の手段において、シール材は、液状の熱硬化性樹脂を環状部に充填し、完全に硬化する温度より低い温度でゲル状化して形成したことを特徴とする。
【００１１】
また、前記環状部内面を粗面に形成したことを特徴とする。
【００１２】
さらに、前記シール材を、電動機運転時のファン及びファンカバーの温度より低い温度でゲル状化したことを特徴とする。
【００１３】
本発明の製造方法は、電動機の回転軸に固定されたファンと、該ファンを被い中央部に吸気口を有するファンカバーと、該ファンとファンカバーとの間に配設されるシール材とを備え、前記シール材を、電動機運転時のファン及びファンカバーの温度より高い硬化温度を有する熱硬化性樹脂を、完全に硬化する温度より低い温度にてゲル状化する第１の工程、第１の工程で形成された材料を、ファンカバー内面に固定する第２の工程、により形成したことを特徴とする。
【００１４】
本発明の製造方法は、電動機の回転軸に固定されたファンと、該ファンを被い中央部に吸気口を有するファンカバーと、該ファンカバーに外部に向かって突出形成された環状部と、該環状部に設けられたシール材とを備え、前記シール材を、電動機運転時のファン及びファンカバーの温度より高い硬化温度を有する熱硬化性樹脂を、環状部内に充填する第１の工程、前記熱硬化性樹脂を、硬化温度より低い温度にてゲル状化する第２の工程、により形成したことを特徴とする電動送風機の製造方法。
【００１５】
本発明の製造方法は、電動機の回転軸に固定されたファンと、該ファンを被い、中央部に吸気口を有するファンカバーと、該ファンカバーに外部に向かって突出形成された環状部と、該環状部に設けられたシール材とを備え、前記シール材を、電動機運転時のファン及びファンカバーの温度より高い硬化温度を有する熱硬化性樹脂を、ファンカバーの環状部内に充填する第１の工程、前記熱硬化性樹脂を、電動機運転時のファン及びファンカバーの温度より低い温度にてゲル状化する第２の工程、前記ファンカバーを電動機に固定する固定する第３の工程、前記電動機を運転し、ファン及びファンカバーの熱により熱硬化性樹脂を第２の工程の状態より硬化させる第４の工程、により形成したことを特徴とする。
【００１６】
【発明の実施の形態】
本発明の一実施形態を図１及び図２に基づいて以下に詳述する。
【００１７】
１は電動送風機で、電動機２及び送風機３から構成されている。
【００１８】
まず、電動機２について説明すると、４は一端側を開口した有底筒状のブラケットで、固定子５及び回転子６が収納され、ブラケット４の一端側開口は端板７により閉塞されている。８は前記ブラケット４に固定されるブラシ保持具で、内部に保持したカーボンブラシ９を回転子６の整流子10外周面に弾接させている。
【００１９】
次に送風機３について説明すると、11は前記端板７に固定されるディフューザで、後述するファン13外周に対応する位置に固定案内翼12を有している。13は前記ディフューザ11を貫通して伸びる回転子６の回転軸14に固定されるファンで、中央部に吸気口15を有する前面シュラウド16、後面シュラウド17及び前面シュラウド16と後面シュラウド17との間に固定される複数のブレード18とから構成されている。19は前記ディフューザ11及びファン13を被うファンカバーで、前記電動機２のブラケット４に圧入して固定されている。20は前記ファンカバー19の略中央部に形成された吸気口で、吸気口20周縁に外側に向かって環状部21を膨出形成しており、該環状部21内にファン13の吸込口15が位置するようになっている。
【００２０】
22は前記環状部21に充填されるシール材で、ファン13の吸込口15縁を当接させている。前記シール材22は、電動送風機１運転時にファン13及びファンカバー19が達する温度より高い温度で完全に硬化し、半硬化状態において低摩擦性を有すると共にけずられやすい熱硬化性樹脂を原料とし、この熱硬化性樹脂を環状部21に所定量充填し、電動送風機１運転時にファン13及びファンカバー19が達する温度より低い温度でゲル状化し、電動送風機１組立後の運転によるファン13及びファンカバー19の温度上昇により半硬化させて形成している。
【００２１】
而して、ファンカバー19を水平面に載置し、環状部21内面にシール材22の原料である熱硬化性樹脂を所定量充填する。熱硬化性樹脂は加熱による硬化前は液状となっており、表面張力により全面にわたって水平となる。この状態で電動送風機１運転時にファン13及びファンカバー19が達する温度より低い温度で材料をゲル状化する。この状態では、熱硬化性樹脂は加熱温度が低いため、高い柔軟性を有している。
【００２２】
このファンカバー19をブラケット４に圧入固定し、ディフューザ11及びファン13を被って組み立てる。この組立状態においては、ファン13の吸込口15縁がシール材22に当接しており、シール材22は高い柔軟性を有しているため、吸込口15縁の圧接により変形する。この状態で、電動送風機１を駆動すると、シール材22は低摩擦性を有しているので、ファン13がシール材22に摺接して、吸込口15縁の端部でシール材22を削り取り、シール材22とファン13の吸込口15縁が略摺接状態となる。このシール材22とファン13の吸込口15縁の略摺接状態により循環流の発生が防止される。
【００２３】
電動送風機１の運転を継続すると、ファン13及びファンカバー19の温度が上昇し、シール材22が半硬化する。この硬化によりシール材22がファンカバー19により確実に接着し、シール材22の脱落を防止する。この状態においても、シール材22は完全に硬化する温度まで加熱されず、柔軟性を有した状態を維持している。
【００２４】
上記の如く形成されたシール材22は柔軟性及び低摩擦性を有しているので、摩擦損失を低く抑えることができ、特性の低下を極力抑制することができるとともに、摩擦損失が低いため摩擦による発熱量が少なく、且つシール材22は耐熱性を有しているため、シール材22が熱変形してファン13との接触抵抗が大きくなったり、循環流が発生することがない。
【００２５】
シール材22とファンカバー19との密着性を向上させるため、ファンカバー19の環状部21に凹凸を形成するなど、環状部21を粗面に形成することが望ましい。
【００２６】
上記実施形態では、シール材22を、液体状の熱硬化性樹脂をファンカバー19の環状部21内面に充填する方法によって形成したが、図３に示すごとく、あらかじめ電動送風機１運転時にファン13及びファンカバー19が達する温度より低い温度で半硬化させて環状に形成したシール材22を、ファンカバー19にカシメ、あるいは溶接等により固定される取付金具23とファンカバー19との間に挟持する構成としてもよい。
【００２７】
【発明の効果】
本発明の請求項１の構成によれば、ファンとファンカバーとの隙間を流れる循環流を安価に防止することができるとともに、組立作業性を向上することができる等の効果を奏する。
【００２８】
本発明の請求項２の構成によれば、ファンとファンカバーとの隙間を流れる循環流を安価に防止することができるとともに、組立作業性を向上することができる等の効果を奏する。
【００２９】
本発明の請求項３の構成によれば、シール材に柔軟性を持たせることができるので、電動送風機の最初の運転時にファンとの接触部分がファンによって削り取られてファンとの間の間隙を極めて微小なものにすることができ、ファンとファンカバーとの隙間を流れる循環流を確実に、安価に防止することができるとともに、組立作業性を向上することができる等の効果を奏する。
【００３０】
本発明の請求項４の構成によれば、シール材に柔軟性を持たせることができるので、電動送風機の最初の運転時にファンとの接触部分がファンによって削り取られてファンとの間の間隙を極めて微小なものにすることができ、ファンとファンカバーとの隙間を流れる循環流を確実に、安価に防止することができるとともに、組立作業性を向上することができる等の効果を奏する。
【００３１】
本発明の請求項５の構成によれば、シール材に柔軟性を持たせることができるので、電動送風機の最初の運転時にファンとの接触部分がファンによって削り取られてファンとの間の間隙を極めて微小なものにすることができ、ファンとファンカバーとの隙間を流れる循環流を確実に、安価に防止することができるとともに、組立作業性を向上することができる等の効果を奏する。
【００３２】
本発明の請求項６の構成によれば、シール材のファンカバーからの脱落を防止し、ファンとファンカバーとの隙間を流れる循環流を安価に防止することができるとともに、組立作業性を向上することができる等の効果を奏する。
【００３３】
本発明の請求項７の構成によれば、シール材のファンカバーからの脱落を防止することができ、シール材に柔軟性を持たせることができるので、電動送風機の最初の運転時にファンとの接触部分がファンによって削り取られてファンとの間の間隙を極めて微小なものにすることができ、ファンとファンカバーとの隙間を流れる循環流を確実に、安価に防止することができるとともに、組立作業性を向上することができる等の効果を奏する。
【００３４】
本発明の請求項８の製造方法によれば、ファンとファンカバーとの隙間を流れる循環流を安価に防止することができるとともに、組立作業性を向上することができる等の効果を奏する。
【００３５】
本発明の請求項９の製造方法によれば、シール材に柔軟性を持たせることができるので、電動送風機の最初の運転時にファンとの接触部分がファンによって削り取られてファンとの間の間隙を極めて微小なものにすることができ、ファンとファンカバーとの隙間を流れる循環流を確実に、安価に防止することができるとともに、組立作業性を向上することができる等の効果を奏する。
【００３６】
本発明の請求項１０の製造方法によれば、シール材に柔軟性を持たせることができるので、電動送風機の最初の運転時にファンとの接触部分がファンによって削り取られてファンとの間の間隙を極めて微小なものにすることができ、ファンとファンカバーとの隙間を流れる循環流を確実に、安価に防止することができるとともに、組立作業性を向上することができる等の効果を奏する。
【図面の簡単な説明】
【図１】本発明の実施の形態を示す要部拡大断面図である。
【図２】同半断面図である。
【図３】同他の実施の形態を示す要部拡大断面図である。
【符号の説明】
１          電動送風機
13          ファン
19          ファンカバー
21          環状部
22          シール材
【図１】
0003723269.tif 000002
【図２】
0003723269.tif 000003
【図３】
0003723269.tif 000004